(57)【要約】【課題】床面に設置されたケースとガイドピンの隙間に塵埃が入り込みにくく、ガイドピンを安定して動作させることができるようにした吊り戸の下部振止装置を提供すること。【解決手段】床面Ｆに設置されるケース２及びこのケース２に上方に突出可能に収納されたガイドピン３を備えた床面設置部材１と、この床面設置部材１のガイドピン３が突出して挿入される吊り戸本体Ｄに配設した案内溝部材４とからなる吊り戸の下部振止装置において、ガイドピン３を入れ子式の多段構造にするとともに、最上段のガイドピン３２の頭部３２ａの直径Ｄ１を、最上段のガイドピン３２の頭部３２ａ以外のガイドピン３の部位の直径Ｄ２よりも大きく形成する。【選択図】図１
2008297868.tif 000002
【特許請求の範囲】
【請求項１】
床面に設置されるケース及び該ケースに上方に突出可能に収納されたガイドピンを備えた床面設置部材と、該床面設置部材のガイドピンが突出して挿入される吊り戸本体に配設した案内溝部材とからなる吊り戸の下部振止装置において、前記ガイドピンを入れ子式の多段構造にするとともに、最上段のガイドピンの頭部の直径を、最上段のガイドピンの頭部以外のガイドピンの部位の直径よりも大きく形成したことを特徴とする吊り戸の下部振止装置。
【請求項２】
床面設置部材の床面に設置されるケースの上面部に、最上段のガイドピンの頭部を収納する環状の凹部を形成したことを特徴とする請求項１記載の吊り戸の下部振止装置。
【請求項３】
案内溝部材の開口端縁部の溝幅を、吊り戸本体の端部側において最上段のガイドピンの頭部の直径より広く形成するとともに、吊り戸本体の端部側を除く部位において最上段のガイドピンの頭部の直径より狭く、かつ、最上段のガイドピンの頭部以外のガイドピンの部位の直径よりも広く形成し、吊り戸本体の端部側から案内溝部材内に挿入した最上段のガイドピンの頭部を、案内溝部材の吊り戸本体の端部側を除く部位において保持するようにしたことを特徴とする請求項１又は２記載の吊り戸の下部振止装置。
【発明の詳細な説明】
【技術分野】
【０００１】
本発明は、吊り戸の下部振止装置に関し、特に、ガイドピンを安定して動作させることができるようにした吊り戸の下部振止装置に関するものである。
【背景技術】
【０００２】
従来、特許文献１に開示されるように、天井レールにランナーを介して走行自在に吊り下げられた吊り戸に対し、床面に設置した床面設置部材に磁力によって突出可能に設けられたガイドピンが、吊り戸本体に配設した案内溝部材の案内溝内に挿入されることにより、吊り戸のガイドを行う吊り戸の下部振止装置が知られている。
この吊り戸の下部振止装置は、床に配設されるケースと、該ケースに上方に突出可能に収納されたガイドピンとを備え、ガイドピンを突出させた状態を磁力により維持しながら吊り戸のガイドを行うようにしている。
【０００３】
また、特許文献２に開示されるように、吊り戸本体に配設した案内溝部材の案内溝内に挿入されたガイドピンを、溝幅を狭く形成した案内溝部材の開口端縁部に保持するようにした吊り戸の下部振止装置も知られている。
【０００４】
また、特許文献３及び４に開示されるように、ガイドピンを入れ子式の多段構造（テレスコピック構造）にした吊り戸の下部振止装置も知られている。
【０００５】
しかしながら、上記従来の吊り戸の下部振止装置は、床面に設置されたケースに突出可能に収納されたガイドピンの頭部の直径が、頭部以外のガイドピンの部位の直径と同じか、又は小さく形成されているため、ガイドピンが突出していないときに、床面に設置されたケースとガイドピンの隙間（摺接空間）に塵埃が入り込みやすく、ガイドピンの動作に支障が生じやすいという問題があった。
また、吊り戸本体に配設した案内溝部材の案内溝内に挿入されたガイドピンを、溝幅を狭く形成した案内溝部材の開口端縁部に保持するようにしたものにおいては、ガイドピンの頭部の直径と同じか、又は大きく形成されている頭部以外のガイドピンの部位が、溝幅を狭く形成した案内溝部材の開口端縁部の移行部に挟まりやすく、吊り戸の移動に支障をきたしたり、下部振止装置が破損する等の問題があった。
【特許文献１】特開平４−２９７６８７号公報
【特許文献２】特開平７−１６６７５７号公報
【特許文献３】特開２００５−２７７０号公報
【特許文献４】特開２００５−１６３３８４号公報
【発明の開示】
【発明が解決しようとする課題】
【０００６】
本発明は、上記従来の吊り戸の下部振止装置の有する問題点に鑑み、床面に設置されたケースとガイドピンの隙間に塵埃が入り込みにくく、ガイドピンを安定して動作させることができるようにした吊り戸の下部振止装置を提供することを第１の目的とする。
また、本発明は、頭部以外のガイドピンの部位が、溝幅を狭く形成した案内溝部材の開口端縁部の移行部に挟まることがなく、吊り戸を安定して移動させることができるようにした吊り戸の下部振止装置を提供することを第２の目的とする。
【課題を解決するための手段】
【０００７】
上記第１の目的を達成するため、本発明の吊り戸の下部振止装置は、床面に設置されるケース及び該ケースに上方に突出可能に収納されたガイドピンを備えた床面設置部材と、該床面設置部材のガイドピンが突出して挿入される吊り戸本体に配設した案内溝部材とからなる吊り戸の下部振止装置において、前記ガイドピンを入れ子式の多段構造にするとともに、最上段のガイドピンの頭部の直径を、最上段のガイドピンの頭部以外のガイドピンの部位の直径よりも大きく形成したことを特徴とする。
【０００８】
この場合において、床面設置部材の床面に設置されるケースの上面部に、最上段のガイドピンの頭部を収納する環状の凹部を形成することができる。
【０００９】
さらに、上記第２の目的を達成するため、本発明の吊り戸の下部振止装置は、案内溝部材の開口端縁部の溝幅を、吊り戸本体の端部側において最上段のガイドピンの頭部の直径より広く形成するとともに、吊り戸本体の端部側を除く部位において最上段のガイドピンの頭部の直径より狭く、かつ、最上段のガイドピンの頭部以外のガイドピンの部位の直径よりも広く形成し、吊り戸本体の端部側から案内溝部材内に挿入した最上段のガイドピンの頭部を、案内溝部材の吊り戸本体の端部側を除く部位において保持するようにしたことを特徴とする。
【発明の効果】
【００１０】
本発明の吊り戸の下部振止装置によれば、ガイドピンを入れ子式の多段構造にするとともに、最上段のガイドピンの頭部の直径を、最上段のガイドピンの頭部以外のガイドピンの部位の直径よりも大きく形成することにより、最上段のガイドピンの頭部によってケースとガイドピンの隙間が覆い隠されるため、床面に設置されたケースとガイドピンの隙間に塵埃が入り込みにくく、ガイドピンを安定して動作させることができ、また、意匠性を向上することができる。
【００１１】
また、床面設置部材の床面に設置されるケースの上面部に、最上段のガイドピンの頭部を収納する環状の凹部を形成することにより、ガイドピンの収納性を向上することができる。
【００１２】
また、案内溝部材の開口端縁部の溝幅を、吊り戸本体の端部側において最上段のガイドピンの頭部の直径より広く形成するとともに、吊り戸本体の端部側を除く部位において最上段のガイドピンの頭部の直径より狭く、かつ、最上段のガイドピンの頭部以外のガイドピンの部位の直径よりも広く形成し、吊り戸本体の端部側から案内溝部材内に挿入した最上段のガイドピンの頭部を、案内溝部材の吊り戸本体の端部側を除く部位において保持するようにすることにより、頭部以外のガイドピンの部位が、溝幅を狭く形成した案内溝部材の開口端縁部の移行部に挟まることがなく、吊り戸を安定して移動させることができるとともに、下部振止装置が破損する等の事故を防止することができる。
【発明を実施するための最良の形態】
【００１３】
以下、本発明の吊り戸の下部振止装置の実施の形態を図面に基づいて説明する。
【実施例１】
【００１４】
図１〜図４に、本発明の吊り戸の下部振止装置の一実施例を示す。
この吊り戸の下部振止装置は、床面Ｆに設置されるケース２及びこのケース２に上方に突出可能に収納されたガイドピン３を備えた床面設置部材１と、この床面設置部材１のガイドピン３が突出して挿入される吊り戸本体Ｄに配設した案内溝部材４とからなる吊り戸の下部振止装置において、ガイドピン３を入れ子式の多段構造にするとともに、最上段のガイドピン（以下、「第２ガイドピン３２」という。）の頭部３２ａの直径Ｄ１を、第２ガイドピン３２の頭部３２ａ以外のガイドピン３の部位の直径Ｄ２よりも大きく形成するようにしている。
【００１５】
ケース２は、金属製又は合成樹脂製で、鍔部２１を備えた円筒体からなる。
また、ケース２の上面部には、第２ガイドピン３２の頭部３２ａを収納することができる環状の凹部２２を形成するようにしている。
これにより、ガイドピン３、特に、第２ガイドピン３２の頭部３２ａの収納性を向上することができる。
【００１６】
ガイドピン３は、金属製又は合成樹脂製の円筒体からなり、ケース２に直接摺動可能に収納された第１ガイドピン３１と、この第１ガイドピン３１の内部に摺動可能に収納された第２ガイドピン３２とを備え、ケース２、第１ガイドピン３１及び第２ガイドピン３２は、３段の入れ子式の多段構造（テレスコピック構造）に形成されるとともに、ピン３３や突起部３４等の適宜の抜け止め手段を設けることによって、ケース２から抜け出ないようにされている。
なお、ガイドピン３は、本実施例においては、第１ガイドピン３１及び第２ガイドピン３２の２個のガイドピンで構成したが、３個以上のガイドピンで構成することもできる。
【００１７】
最上段のガイドピンとなる第２ガイドピン３２は、有蓋の円筒体からなり、頭部３２ａを鉄等の磁性体材料で形成するようにしている。
なお、案内溝部材４に磁石を配設しない場合等には、頭部３２ａに磁石を配設するようにすることもできる。
【００１８】
なお、本実施例の吊り戸の下部振止装置においては、ガイドピン３をケース２に同心状に配設するようにしたが、ガイドピン３をケース２に対して偏心して配設することにより、ケース２を床面Ｆに設置する際に、ケース２を回転することによって、ガイドピン３の吊り戸本体Ｄの案内溝部材４に対する位置を調整することができる。
【００１９】
さらに、本実施例の吊り戸の下部振止装置においては、ケース２を床面Ｆに設置するに当たり、ケース２を合成樹脂製のアウター部材５を介して床面Ｆに設置するようにしている。
アウター部材５には、図２に示すように、ケース２の外周面に形成した抜け止め用溝２３に嵌合する抜け止め用突起５１を形成するようにする。
これにより、ケース２を床面Ｆに一旦設置した後でも、アウター部材５内でケース２を回転することが可能となり、ケース２の設置状態が緩むことなく、ガイドピン３の吊り戸本体Ｄの案内溝部材４に対する位置調整を、容易に、かつ、何度でも行うことができる。
また、アウター部材５を有底（少なくとも、部分的に有底）に形成するとともに、アウター部材５の内底面及びこれに当接する床面設置部材１のケース２の底面を、ケース２とアウター部材５とが任意の回転位置で嵌合できる嵌合構造（本実施例においては、凹凸形状）２４、５２に形成することもできる。
これにより、ケース２とアウター部材５との位置関係を正確に保持することができ、ケース２の設置状態が緩むことなく、ガイドピン３の吊り戸本体Ｄの案内溝部材４に対する位置調整を、容易に、かつ何度でも行うことができる。
【００２０】
一方、吊り戸本体Ｄは、天井レールにランナー（図示省略）を介して走行自在に吊り下げられている。
そして、吊り戸本体Ｄの下面には、床面設置部材１の突出したガイドピン３が挿入される案内溝部材４が配設されている。
【００２１】
この案内溝部材４は、図３〜図４に示すように、吊り戸本体Ｄの端部側４Ａから案内溝部材４内に挿入した最上段のガイドピンとなる第２ガイドピン３２の頭部３２ａを、案内溝部材４の吊り戸本体Ｄの端部側４Ａを除く部位４Ｂにおいて保持することができるように、吊り戸本体Ｄの端部側４Ａを、第２ガイドピン３２の頭部３２ａの直径Ｄ１より広く形成した導入部４Ａ１と、この導入部４Ａ１と端部側４Ａを除く部位４Ｂとをなだらかに接続する（具体的には、案内溝部材４のフランジ状に形成した開口端縁部４１の溝幅Ｗが、端部側４Ａを除く部位４Ｂに向けて漸次狭くなるように形成する）ことにより、ガイドピン３が円滑に移行するようにする移行部４Ａ２とで構成するようにしている。
なお、第２ガイドピン３２の頭部３２ａが移行する案内溝部材４の案内溝４２は、第２ガイドピン３２の頭部３２ａの直径Ｄ１より広い一定の寸法に形成するようにする。
【００２２】
より具体的には、吊り戸本体Ｄに配設した案内溝部材４は、その開口端縁部４１の溝幅Ｗを、吊り戸本体Ｄの端部側４Ａにおいて第２ガイドピン３２の頭部３２ａの直径Ｄ１より広く形成するとともに、吊り戸本体Ｄの端部側４Ａを除く部位４Ｂにおいて第２ガイドピン３２の頭部３２ａの直径Ｄ１より狭く、かつ、第２ガイドピン３２の頭部３２ａ以外のガイドピン３の部位の直径Ｄ２よりも広く形成し、吊り戸本体Ｄの端部側４Ａから案内溝部材４内に挿入した第２ガイドピン３２の頭部３２ａを、案内溝部材４の吊り戸本体Ｄの端部側４Ａを除く部位４Ｂにおいて保持することができるようにしている。
これにより、第２ガイドピン３２の頭部３２ａ以外のガイドピン３の部位が、溝幅Ｗを狭く形成した案内溝部材４の開口端縁部４１の移行部４Ａ２に挟まることがなく、吊り戸本体Ｄを安定して移動させることができるとともに、下部振止装置が破損する等の事故を防止することができる。
【００２３】
そして、本実施例においては、吊り戸本体Ｄに配設した案内溝部材４の吊り戸本体Ｄの端部側４Ａにのみ、第２ガイドピン３２の頭部３２ａを吸着するための磁石４３を配設するようにしている。
なお、第２ガイドピン３２の頭部３２ａに磁石を配設する場合には、案内溝部材４には磁石４３に代えて、鉄等の磁性体材料からなる適宜の吸着片を配設するようにすることもできる。
【００２４】
本実施例においては、案内溝部材４を分割して形成しているが、分割位置は限定されず、また、全体を一体に形成することもできる。
【００２５】
この吊り戸の下部振止装置は、吊り戸本体Ｄが、床面Ｆに設置された床面設置部材１の上方位置に来ると、ガイドピン３がケース２内に収納された図１（ｂ）に示す状態から、案内溝部材４の吊り戸本体Ｄの端部側４Ａに配設した磁石４３によって、第２ガイドピン３２の頭部３２ａが吸着されることによって、ガイドピン３（第１ガイドピン３１及び第２ガイドピン３２）は、ケース２内から上方に突出し、吊り戸本体Ｄの案内溝部材４の案内溝４２内に挿入された図１（ａ）に示す状態に変化する。
そして、さらに吊り戸本体Ｄが移動することにより、吊り戸本体Ｄの端部側４Ａから案内溝部材４の案内溝４２内に挿入した第２ガイドピン３２の頭部３２ａを、第２ガイドピン３２の頭部３２ａの直径Ｄ１より狭く、かつ、第２ガイドピン３２の頭部３２ａ以外のガイドピン３の部位の直径Ｄ２よりも広く形成した吊り戸本体Ｄの端部側４Ａを除く部位４Ｂにおいて保持するようにする。
これにより、ガイドピン３を吸着する磁石が存在しない吊り戸本体Ｄの端部側４Ａを除く部位４Ｂにおいて、ガイドピン３を確実に保持することができる。
なお、吊り戸本体Ｄが、床面Ｆに設置された床面設置部材１の上方位置から去ると、ガイドピン３（第１ガイドピン３１及び第２ガイドピン３２）は重力によりケース２内に退入する。
【００２６】
この吊り戸の下部振止装置によれば、ガイドピン３を入れ子式の多段構造にするとともに、最上段のガイドピンとなる第２ガイドピン３２の頭部３２ａの直径Ｄ１を、第２ガイドピン３２の頭部３２ａ以外のガイドピン３の部位の直径Ｄ２よりも大きく形成することにより、第２ガイドピン３２の頭部３２ａによってケース２とガイドピン３の隙間（摺接空間）が覆い隠されるため、床面Ｆに設置されたケース２とガイドピン３の隙間に塵埃が入り込みにくく、ガイドピン３を安定して動作させることができ、また、意匠性を向上することができる。
【００２７】
以上、本発明の吊り戸の下部振止装置について、その実施例に基づいて説明したが、本発明の吊り戸の下部振止装置は、実施例の構成に限定されるものではなく、例えば、ガイドピンを案内溝部材の案内溝に単に挿入して使用される吊り戸の下部振止装置（特許文献１参照）にも適用する等、その趣旨を逸脱しない範囲において適宜に変更することが可能である。
また、この吊り戸の下部振止装置は、特に材料を限定していない部材については、合成樹脂のほか、金属等の任意の材料で構成することができる。
【産業上の利用可能性】
【００２８】
本発明の吊り戸の下部振止装置は、床面に設置されたケースとガイドピンの隙間に塵埃が入り込みにくく、ガイドピンを安定して動作させることができる等の特性を有することから、鉄筋コンクリートの建物等において床スラブ等が障害となって深い埋め込み孔を形成することが困難な場合等を含め、吊り戸の下部振止の用途に広く用いることができる。
【図面の簡単な説明】
【００２９】
【図１】本発明の吊り戸の下部振止装置の一実施例を示し、（ａ）はガイドピンがケース内から上方に突出した状態、（ｂ）はガイドピンがケース内に収納された状態である。
【図２】同吊り戸の下部振止装置を示し、（ａ）はアウター部材の平面図、（ｂ）は同正面図、（ｃ）は床面設置部材（ケース）の正面図である。を、それぞれ。
【図３】同吊り戸の下部振止装置の吊り戸本体を示し、（ａ）は正面図、（ｂ）は底面図である。
【図４】同吊り戸の下部振止装置の案内溝部材を示し、（ａ）は左（開口側）側面図、（ｂ）は一部破断した正面図、（ｃ）は右（中央部側）側面図、（ｄ）は底面図である。
【符号の説明】
【００３０】
１    床面設置部材
２    ケース
２１  鍔部
２２  凹部
３    ガイドピン
３１  第１ガイドピン
３２  第２ガイドピン
４    案内溝部材
４Ａ１  導入部
４Ａ２  移行部
４１  開口端縁部
４２  案内溝
４３  磁石
５    アウター部材
Ｄ    吊り戸本体
Ｆ    床
Ｄ１  最上段のガイドピンの頭部の直径
Ｄ２  最上段のガイドピンの頭部以外のガイドピンの部位の直径
Ｗ    開口端縁部の溝幅
【図１】
2008297868.tif 000003
【図２】
2008297868.tif 000004
【図３】
2008297868.tif 000005
【図４】
2008297868.tif 000006